【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
流体ラインに沿った流体の流れをコントロールするためのバルブアセンブリであって、
貫通孔、遠位端および近位端を有する外部シェルと、
前記外部シェルの範囲内で移動可能に係合する内部ハウジングであって、遠位端開口を有する貫通孔を有する中心ボス、および、前記バルブアセンブリを流体ラインに接続するように構成されるコネクタ部を有する内部ハウジングと、
前記外部シェルに連結されるシールピンであって、当該シールピンの周辺に前記中心ボス内の通路を定めるように前記中心ボスの前記貫通孔内へと延びるシールピンと、を備え、
前記内部ハウジングは、流体ラインへの前記コネクタ部の接続において第１の閉じた位置と第２の開いた位置との間で前記外部ハウジングおよび前記シールピンに対して移動可能であり、
前記シールピンは、前記内部ハウジングの第１の閉じた位置において前記遠位端開口を通る流体の流れを防止するために、前記中心ボスの前記貫通孔の前記遠位端開口において密閉係合するように構成され、前記第２の開いた位置において前記シールピンの周辺で前記中心ボスを通りそして前記遠位端開口から出る流体経路を開くために、前記中心ボスの前記開いた遠位端から離れる、遠位先端を有する、
バルブアセンブリ。
【請求項２】
前記シールピンは、中実部材である、請求項１に記載のバルブアセンブリ。
【請求項３】
中実の前記シールピンの少なくとも前記遠位先端は、エラストマ材料から形成されて、前記遠位端開口に密閉係合するように構成され、前記中心ボスの前記貫通孔は、第１の直径を有し、前記シールピンは、その長さの少なくとも大部分に沿って前記第１の直径よりも小さい第２の直径を有する、請求項２に記載のバルブアセンブリ。
【請求項４】
前記コネクタ部は、前記ボスを囲み、かつ、前記内部ハウジングを流体ラインのはめ合いコネクタに接続するための第１の螺旋軸を定めるコネクタねじのセットを有する、請求項１に記載のバルブアセンブリ。
【請求項５】
はめ合いコネクタが前記外部ハウジングの前記コネクタ部にねじ嵌めされるとき、前記外部シェルの前記貫通孔と前記内部ハウジングの外部表面との間で前記内部ハウジングを螺旋状に移動させるように構成されるカムエレメントをさらに備え、それにより、前記内部ハウジングは、前記シールピンが前記遠位端開口を係合する閉じた位置から、および前記遠位開口が前記バルブアセンブリを通る流体経路を開くために前記シールピンから離れて移動する前記開いた位置を移動する、請求項４に記載のバルブアセンブリ。
【請求項６】
前記カムエレメントは、前記第１の螺旋軸の反対側に第２の螺旋軸を一緒に定める、前記内部ハウジング上の外側カムねじのセットおよび前記外部シェル上の内側カムねじのセットを備え、カムねじの前記セットは、はめ合いコネクタが前記コネクタ部からねじ抜かれる前に前記内部ハウジングが前記第１の閉じた位置に向けられるように構成される、請求項５に記載のバルブアセンブリ。
【請求項７】
前記内部ハウジングは、分離されかつ閉じた状態と、前記コネクタ部が閉じたままの前記バルブアセンブリを通る流体経路を有する流体ラインにおいてはめ合いコネクタと係合するときの、接続されかつ閉じた状態と、前記コネクタ部が前記はめ合いコネクタと係合して、前記バルブアセンブリを通る流体経路が開いて前記はめ合いコネクタを通って前記流体ラインと連通するときの、接続されかつ開いた状態との間を移動可能である、請求項１に記載のバルブアセンブリ。
【請求項８】
前記シェルの前記近位端を通って延びて、かつ、前記シェルに連結されるベースを有する裏当て部材をさらに備え、前記シールピンは、前記ベースから前記中心ボスへと延び、前記裏当て部材は、前記シールピンの周辺で前記中心ボス内の通路と連通する前記シェルを通る前記流体経路の近位部を定める、請求項１に記載のバルブアセンブリ。
【請求項９】
前記裏当て部材は、前記バルブを流体ラインのコンポーネントに連結するように構成されるか、または、針なしシリンジの筒と一体的に形成されるコネクタを備える近位端を有する、請求項８に記載のバルブアセンブリ。
【請求項１０】
前記内部ハウジングは、当該内部ハウジングが前記第２の開いた位置にあり、そして前記流体経路が開いているときに露出する少なくとも１つの状態指示器を有し、前記状態指示器は、前記第２の開いた位置において前記外部シェルの前記遠位端から突出する前記内部ハウジングの遠位端部、または、前記内部ハウジングの着色した外部表面部を含み、前記外部シェルは、少なくとも１つの窓を有する遠位端部を有し、前記内部ハウジングの前記着色した外部表面部は、前記内部ハウジングの前記第２の開いた位置において前記窓と整列される、請求項１に記載のバルブアセンブリ。
【請求項１１】
前記流体経路に沿って露出する前記バルブアセンブリの１つ以上の表面は、親水性薬剤、抗菌薬剤、反粘着性分子、反フィブロネクチン抗体、抗生物質、および超低ファウリングの双性イオンベース材料からなる群から選択される１つ以上のコーティング剤でコートされるか、または含浸される、請求項１に記載のバルブアセンブリ。
【請求項１２】
前記シリンジは、バレルを有し、前記バレルは、前記シェルの前記近位端を通って延長して、前記シェルを通る前記流体経路の一部を定め、前記延長部は、前記シェルの範囲内にベースを有し、前記シールピンは、前記ベースから前記中心ボス内へと延びる、請求項９に記載の装置。
【請求項１３】
流体ラインの近位部と連通する近位端を有するバルブであって、外部シェルと、前記外部シェルの範囲内で移動可能に配置されて、遠位端部のボスおよび、前記ボスを通り遠位端開口への通路を有する内部ハウジングと、バルブアセンブリを流体ラインに連結するように構成されるコネクタ部と、前記ボスを通る前記通路の範囲内に配置されるシールピンを有して前記外部シェルに連結される裏当て部材と、を備えるバルブを用いて、流体ラインに流体経路を開く方法であって、
閉じた前記バルブおよび、前記バルブを通る流体経路を閉鎖するために前記シールピンの遠位先端が前記遠位端開口と密閉係合している第１の位置の前記内部ハウジングを用いて、前記バルブの前記コネクタ部を前記バルブの下流の前記流体ラインの遠位部のコネクタとの係合へと移動させるステップ、および、
前記コネクタ部を前記コネクタに固定するステップであって、それにより、前記コネクタへの前記コネクタ部の取り付けは、前記内部ハウジングを前記第１の位置から、前記ボスの遠位端が前記シールピンの対応する端部から離れて動いて、前記ボスと前記シールピンとの間に、そして前記ボスを通る通路の出口端を通って出る流体通路が形成されて、前記流体ラインの前記近位部から前記バルブを通って前記流体ラインの前記遠位部まで流体経路を開く、第２の位置へ移動させるステップと、を含む、
方法。
【請求項１４】
前記流体ラインの遠位部で前記バルブの前記コネクタ部をコネクタと接続するステップは、前記コネクタ部上の内側コネクタねじのセットを前記コネクタ上の外側ねじのセットと螺合するステップを含み、前記内部ハウジングを前記第１の位置から前記第２の位置まで移動させるステップは、前記内部シェルを前記第１の位置から前記第２の位置まで促すために前記内部ハウジングと前記外部シェルとの間でカムエレメントを同時に係合するステップを含む、請求項１３に記載の方法。
【請求項１５】
前記コネクタを前記内部ハウジングと係合したままに保持して、前記内部ハウジングが第１の位置に戻り、前記遠位端開口が閉じてシールされる場合にだけ、前記バルブからの分離を許容するように前記コネクタを解放する一方で、前記流体ラインを介して流体を送給した後に前記内部ハウジングの前記遠位端から前記コネクタの分離を開始するステップをさらに含む、請求項１３に記載の方法。